(57)【要約】      （修正有）【課題】外観に優れ、且つ自宅でトレーニングする際に、木製床または家具などを傷つけたり破壊したりすることがないダンベルを提供する。【解決手段】ダンベルは、芯棒１０及び布カバー２０を有し、芯棒は、内部に支持棒１１が設置され、支持棒の周囲に内袋体１２が被包され、内袋体と支持棒との間に重量充填物３０が充填され、布カバーは、芯棒を密封するように芯棒の周囲に設置され、芯棒の中段の周囲に持ち部２１が環装され、持ち部と芯棒との間に重量充填物が充填され、持ち部の両端にそれぞれ、芯棒の両端周囲をカバーする重り部２２が連接され、各重り部と芯棒の端部との間に重量充填物が充填されている。【選択図】図２
0003216221.tif 000002
【実用新案登録請求の範囲】
【請求項１】
内部に支持棒が設置され、該支持棒の周囲に内袋体が被包され、該内袋体の両端にそれぞれ縫合部が延設され、該内袋体と支持棒との間に第一充填空間が形成され、該第一充填空間に複数の重量充填物が充填される、芯棒と、
前記芯棒を密封するように該芯棒の周囲に設置され、該芯棒の中段の周囲に持ち部が環装され、該持ち部と芯棒との間に第二充填空間が形成され、該第二充填空間に複数の重量充填物が充填され、該持ち部の両端にそれぞれ、前記芯棒の両端周囲をカバーすると共に、該芯棒の両端の縫合部を固定する重り部が連接され、該重り部の外径は、持ち部の外径よりも大きく、該各重り部と芯棒の端部との間に、第三充填空間が形成され、該第三充填空間に複数の重量充填物が充填される、布カバーを有するダンベル。
【請求項２】
前記各重り部は、内側布と、環状布と、外側布を備え、該内側布は、環状を呈し、前記持ち部の一端に連接され、該環状布は、前記芯棒の長手方向に延出するように内側布に連接され、該外側布は、前記第三充填空間を密封するように環状布に連接され、
前記芯棒の縫合部が外側布に連接されることを特徴とする請求項１に記載のダンベル。
【請求項３】
前記各重り部は、内側布と、環状布と、外側布とを備え、該内側布は、環状を呈し、前記持ち部の一端に連接され、該環状布は、前記芯棒の長手方向に延出するように内側布に連接され、該外側布は、前記第三充填空間を密封するように環状布に連接され、
前記芯棒の縫合部は、相対する両側から延出する２枚の接合シールを有し、該２枚の接合シールはそれぞれ、前記外側布と環状シートとの間に挟設されることを特徴とする請求項１に記載のダンベル。
【請求項４】
前記各重り部の環状布に開口が形成され、該開口の周壁に、曲折可能な注入管が設けられ、該注入管は、重量充填物を注入するために、重り部と芯棒の端部との間に連通するように、外部に向かって延設され、該注入管は、折り返して開口を通過させて重り部の内部に押し込まれることを特徴とする請求項１乃至３の何れか１項に記載のダンベル。
【請求項５】
前記注入管の末端に、曲折可能な延出管が連接され、該延出管は、重量充填物を注入するために、重り部と芯棒の端部との間に連通することを特徴とする請求項４に記載のダンベル。
【請求項６】
前記重量充填物が砂鉄を含むことを特徴とする請求項１乃至５の何れか１項に記載のダンベル。
【請求項７】
前記布カバーがウエットスーツ用生地からなることを特徴とする請求項１乃至６の何れか１項に記載のダンベル。
【考案の詳細な説明】
【技術分野】
【０００１】
本考案は、特に表面に布カバー２０を付けることにより、外観を向上させたダンベルに関するものである。
【背景技術】
【０００２】
ダンベルは、重量による負荷で筋肉をトレーニングする道具であり、固定式ダンベル及び可変式ダンベルの２種類を有するが、使用者が実際の需要に応じて適宜選ぶことができると共に、筋トレを行うときに、必要に応じて適当な重量に調整したりすることもできる。
図８に示すように、既存のダンベル９０は、両端にそれぞれ重り部９１が設けられ、該２つの重り部９１との間に持ち部９２が連接され、使用者が持ち部９２を持ちながら筋肉をトレーニングすることができ、また、ダンベルは、適当な重量により十分な負荷を与えるために、一般的には鉄製からなるものが多い。
【考案の概要】
【考案が解決しようとする課題】
【０００３】
しかしながら、鉄製のダンベルは、素材が硬いことから、自宅でトレーニングすると、木製床や家具などを破壊する虞があると共に、その外観にも優れなかった。
【課題を解決するための手段】
【０００４】
本考案に係るダンベルは、
内部に支持棒が設置され、該支持棒の周囲に内袋体が被包され、該内袋体の両端にそれぞれ縫合部が延設され、該内袋体と支持棒との間に第一充填空間が形成され、該第一充填空間に複数の重量充填物が充填される、芯棒と、
前記芯棒を密封するように該芯棒の周囲に設置され、該芯棒の中段の周囲に持ち部が環装され、該持ち部と芯棒との間に第二充填空間が形成され、該第二充填空間に複数の重量充填物が充填され、該持ち部の両端にそれぞれ、前記芯棒の両端周囲をカバーすると共に、該芯棒の両端の縫合部を固定する重り部が連接され、該重り部の外径は、持ち部の外径よりも大きく、該各重り部と芯棒の端部との間に、第三充填空間が形成され、該第三充填空間に複数の重量充填物が充填される、布カバーを有するものである。
【０００５】
かかるダンベルにおいて、
前記各重り部は、内側布と、環状布と、外側布を備え、該内側布は、環状を呈し、前記持ち部の一端に連接され、該環状布は、前記芯棒の長手方向に延出するように内側布に連接され、該外側布は、前記第三充填空間を密封するように環状布に連接され、
前記芯棒の縫合部が外側布に連接されることが好ましい。
【０００６】
かかるダンベルにおいて、
前記各重り部は、内側布と、環状布と、外側布とを備え、該内側布は、環状を呈し、前記持ち部の一端に連接され、該環状布は、前記芯棒の長手方向に延出するように内側布に連接され、該外側布は、前記第三充填空間を密封するように環状布に連接され、
前記芯棒の縫合部は、相対する両側から延出する２枚の接合シールを有し、該２枚の接合シールはそれぞれ、前記外側布と環状シートとの間に挟設されることが好ましい。
【０００７】
かかるダンベルにおいて、
前記各重り部の環状布に開口が形成され、該開口の周壁に、曲折可能な注入管が設けられ、該注入管は、重量充填物を注入するために、重り部と芯棒の端部との間に連通するように、外部に向かって延設され、該注入管は、折り返して開口を通過させて重り部の内部に押し込まれることが好ましい。
【０００８】
かかるダンベルにおいて、
前記注入管の末端に、曲折可能な延出管が連接され、該延出管は、重量充填物を注入するために、重り部と芯棒の端部との間に連通することが好ましい。
【０００９】
かかるダンベルにおいて、前記重量充填物が砂鉄を含むことが好ましい。
【００１０】
かかるダンベルにおいて、前記布カバーがウエットスーツ用生地からなることが好ましい。
【考案の効果】
【００１１】
本考案に係るダンベルは、ウエットスーツ用生地からなる布カバーを芯棒の周囲に被覆すると共に、持ち部と芯棒との間にある第二充填空間、及び重り部と芯棒の端部との間にある第三充填空間に砂鉄などの重量充填物を充填することにより、外観に優れ、且つ使いやすいダンベルを提供するものである。また、本考案に係るダンベルを用いれば、自宅でトレーニングする際に、木製床または家具などを傷つけたり破壊したりすることはないので、使用上の安全性が向上する。
【図面の簡単な説明】
【００１２】
【図１】本考案に係るダンベルの斜視図である。
【図２】本考案に係るダンベルの第一実施例の部分断面斜視図である。
【図３】本考案に係るダンベルの第一実施例の側面断面図である。
【図４】本考案に係るダンベルの第二実施例の部分断面斜視図である。
【図５】本考案に係るダンベルの第二実施例の部分側面断面図である。
【図６】本考案に係るダンベルに重量充填物を充填する操作を示す説明図である。
【図７】本考案に係るダンベルに重量充填物を充填する操作を示す他の説明図である。
【図８】既存のダンベルの斜視図である。
【考案を実施するための形態】
【００１３】
図１乃至図５に示すように、本考案に係るダンベルの第一、二実施例は、芯棒１０及び、布カバー２０を有し、該芯棒１０は、細長型の棒状を呈し、内部に硬質の支持棒１１が設置され、該支持棒１１の周囲に内袋体１２が被包され、該内袋体１２の両端にそれぞれ縫合部１２０が延設され、該内袋体１２と支持棒１１との間に第一充填空間１０１が形成され、該第一充填空間１０１に複数の重量充填物３０が充填され、該重量充填物３０は、砂鉄を含むことが好ましい。
【００１４】
前記布カバー２０は、芯棒１０を密封するように該芯棒１０の周囲に設置され、該芯棒１０の中段の周囲に持ち部２１が環装され、該持ち部２１は、両端の外径が広くて中段の外径が狭い形態のチューブ４０状を呈し、該持ち部２１と芯棒１０との間に第二充填空間１０２が形成され、該第二充填空間１０２に複数の重量充填物３０が充填され、該持ち部２１の両端にそれぞれ、前記芯棒１０の両端周囲をカバーすると共に、当該芯棒１０の両端の縫合部１２０を固定する重り部２２が連接され、該重り部２２の外径は、持ち部２１の外径よりも大きく、該各重り部２２と芯棒１０の端部との間に第三充填空間１０３が形成され、該第三充填空間１０３に複数の重量充填物３０が充填される。尚、前記布カバー２０は、ウエットスーツ用生地よりなることが好ましい。
【００１５】
図２及び図３に示すように、本考案に係るダンベルの第一実施例において、前記各重り部２２は、内側布２２１と、環状布２２２と、外側布２２３とを備え、該内側布２２１は、内周縁から外周縁へ行くにつれて次第に広がる円環状を呈し、内周縁を介して持ち部２１の一端に連接され、該環状布２２２は、芯棒１０の長手方向に延出するように内側布２２１に連接され、該外側布２２３は、該重り部２２を密封するように環状布２２２に連接され、該外側布２２３に芯棒１０の縫合部１２０が連接される。
【００１６】
図４及び図５に示すように、本考案に係るダンベルの第二実施例における重り部２２は、第一実施例と同一であるが、芯棒１０の縫合部１２０Ａでは、相対する両側から延出する２枚の接合シール１２１Ａを有し、該２枚の接合シール１２１Ａがそれぞれ、外側布２２３と環状シートとの間に挟設される点において異なる。
【００１７】
さらに、本考案に係るダンベルの第一、二実施例においては、前記各重り部２２における環状布２２２に開口２２０が形成され、該開口２２０の周壁に、曲折可能な注入管２２４が設けられ、該注入管２２４は、重量充填物３０を注入するために、重り部２２と芯棒１０の端部との間にある第三充填空間１０３と連通するように延設され、該注入管２２４は、第三充填空間１０３と連通するように、開口２２０から重り部２２の外部に延出し、この構成によれば、重量充填物３０を充填する場合、砂鉄などの重量充填物３０を注入管２２４を介して第三充填空間１０３に充填することができる。その後、前記注入管２２４を折り返して開口２２０を通過させて重り部２２の内部に押し込まれて収納することができる。また、前記注入管２２４の末端に、曲折可能な延出管２２５が連接され、該延出管２２５は、重量充填物３０を充填するために、重り部２２と芯棒１０の端部との間に連通している。
【００１８】
図６及び図７に示すように、本考案に係るダンベルを製造する時は、前記重り部２２の外部に延出した延出管２２５及び注入管２２４は、硬質のチューブ４０を用いて砂鉄などの重量充填物３０を、前記持ち部２１と芯棒１０との間にある第二充填空間１０２、及び該重り部２２と芯棒１０の端部との間にある第三充填空間１０３に充填し、その後、該延出管２２５及び注入管２２４を折り返して開口２２０を通過させて重り部２２の内部に押し込まれて重り部２２の内部に収納することにより、ダンベルを完成させる。
【００１９】
本考案に係るダンベルは、ウエットスーツ用生地からなる布カバー２０で芯棒１０の周囲を被覆すると共に、持ち部２１と芯棒１０との間にある第二充填空間１０２、及び重り部２２と芯棒１０の端部との間にある第三充填空間１０３に砂鉄などの重量充填物３０を充填することにより、外観に優れ、且つ使いやすいダンベルを提供ことができ、また、本考案に係るダンベルを用いれば、自宅でトレーニングをしても木製床や家具などに傷をつけたり、破壊したりすることはないので、使用上の安全性を向上させることができる。
【符号の説明】
【００２０】
１０  芯棒
１１  支持棒
１０１  第一充填空間
１０２  第二充填空間
１０３  第三充填空間
１２  内袋体
１２０  縫合部
１２１、１２１Ａ  接合シール
２０  布カバー
２１  持ち部
２２  重り部
２２０  開口
２２１  内側布
２２２  環状布
２２３  外側布
２２４  注入管
２２５  延出管
３０  重量充填物
４０  チューブ
９０  ダンベル
９１  重り部
９２  持ち部
【図１】
0003216221.tif 000003
【図２】
0003216221.tif 000004
【図３】
0003216221.tif 000005
【図４】
0003216221.tif 000006
【図５】
0003216221.tif 000007
【図６】
0003216221.tif 000008
【図７】
0003216221.tif 000009
【図８】
0003216221.tif 000010
【手続補正書】
【提出日】平成30年3月15日(2018.3.15)
【手続補正１】
【補正対象書類名】実用新案登録請求の範囲
【補正対象項目名】全文
【補正方法】変更
【補正の内容】
【実用新案登録請求の範囲】
【請求項１】
内部に支持棒が設置され、該支持棒の周囲に内袋体が被包され、該内袋体の両端にそれぞれ縫合部が延設され、該内袋体と支持棒との間に第一充填空間が形成され、該第一充填空間に複数の重量充填物が充填される、芯棒と、
前記芯棒を密封するように該芯棒の周囲に設置されると共に、持ち部及び２つの重り部を備える、布カバーを有し、
そのうち、持ち部は、芯棒の中段の周囲に環装され、該持ち部と芯棒との間に第二充填空間が形成され、該第二充填空間に複数の重量充填物が充填され、前記２つの重り部は、芯棒の両端周囲をカバーすると共に、該芯棒の両端の縫合部を固定するように、持ち部の両端に連接され、該重り部の外径は、持ち部の外径よりも大きく、該各重り部と芯棒の端部との間に、第三充填空間が形成され、該第三充填空間に複数の重量充填物が充填される、ダンベル。
【請求項２】
前記各重り部は、内側布と、環状布と、外側布を備え、該内側布は、環状を呈し、前記持ち部の一端に連接され、該環状布は、前記芯棒の長手方向に延出するように内側布に連接され、該外側布は、前記第三充填空間を密封するように環状布に連接され、
前記芯棒の縫合部が外側布に連接されることを特徴とする請求項１に記載のダンベル。
【請求項３】
前記各重り部は、内側布と、環状布と、外側布とを備え、該内側布は、環状を呈し、前記持ち部の一端に連接され、該環状布は、前記芯棒の長手方向に延出するように内側布に連接され、該外側布は、前記第三充填空間を密封するように環状布に連接され、
前記芯棒の縫合部は、相対する両側から延出する２枚の接合シールを有し、該２枚の接合シールはそれぞれ、前記外側布と環状シートとの間に挟設されることを特徴とする請求項１に記載のダンベル。
【請求項４】
前記各重り部の環状布に開口が形成され、該開口の周壁に、曲折可能な注入管が設けられ、該注入管は、重量充填物を注入するために、重り部と芯棒の端部との間に連通するように、外部に向かって延設され、該注入管は、折り返して開口を通過させて重り部の内部に押し込まれることを特徴とする請求項２乃至３の何れか１項に記載のダンベル。
【請求項５】
前記注入管の末端に、曲折可能な延出管が連接され、該延出管は、重量充填物を注入するために、重り部と芯棒の端部との間に連通することを特徴とする請求項４に記載のダンベル。
【請求項６】
前記重量充填物が砂鉄を含むことを特徴とする請求項１乃至５の何れか１項に記載のダンベル。
【請求項７】
前記布カバーがウエットスーツ用生地からなることを特徴とする請求項１乃至６の何れか１項に記載のダンベル。
【手続補正２】
【補正対象書類名】明細書
【補正対象項目名】０００４
【補正方法】変更
【補正の内容】
【０００４】
本考案に係るダンベルは、
内部に支持棒が設置され、該支持棒の周囲に内袋体が被包され、該内袋体の両端にそれぞれ縫合部が延設され、該内袋体と支持棒との間に第一充填空間が形成され、該第一充填空間に複数の重量充填物が充填される、芯棒と、
前記芯棒を密封するように該芯棒の周囲に設置されると共に、持ち部及び２つの重り部を備える、布カバーを有し、
そのうち、持ち部は、芯棒の中段の周囲に環装され、該持ち部と芯棒との間に第二充填空間が形成され、該第二充填空間に複数の重量充填物が充填され、前記２つの重り部は、芯棒の両端周囲をカバーすると共に、該芯棒の両端の縫合部を固定するように、持ち部の両端に連接され、該重り部の外径は、持ち部の外径よりも大きく、該各重り部と芯棒の端部との間に、第三充填空間が形成され、該第三充填空間に複数の重量充填物が充填されるものである。